(57)【要約】      （修正有）【課題】腰を屈めなくてもプラグ差込口を確認することができるコンセントアダプターを提供する。【解決手段】プラグ差込口４の長さ方向ｐが、接続脚２の巾方向ａと同じ方向であって、プラグ差込口面５が基体１の面と角度θ、立ち上げ面６と角度φをなす。【選択図】図１
0003178661.tif 000002
【実用新案登録請求の範囲】
【請求項１】
プラグ差込口４の長さｐ方向が接続脚２の巾ａ方向と同じ方向であって、プラグ差込口面５が基体１の面と角度θ、立ち上げ面６と角度φをなすことを特徴とするコンセントアダプター。
【請求項２】
プラグ差込口４の長さｐ方向が接続脚２の巾ａ方向と直角をなす請求項１のコンセントアダプター。
【請求項３】
アース用の差込口２５及びアース用の接続脚２２を設けたことを特徴とする請求項１又は請求項２のコンセントアダプター。
【請求項４】
差込口４にシャッター機構を有する請求項１若しくは請求項２のコンセントアダプター又は差込口２３及び差込口２４にシャッター機構を有する請求項３のコンセントアダプター。
【考案の詳細な説明】
【技術分野】
【０００１】  本考案は、プラグ差込口が横向きでプラグ挿入方向が壁面に対して垂直方向である壁面埋め込みコンセントに利用し、プラグ差込口が斜め上向き又は斜め下向きとなるコンセントアダプターに関する。
【背景技術】
【０００２】  従来、壁面埋め込みコンセントに利用してプラグ差込口が斜めになるものとしては、例えば図３に示す三角タップが市販されている。また、コンセント自身のプラグ差込口が斜め下向きなるものとして防水コンセント（例えば特許文献１）があった。さらに、差込口にシャッター機構を採用し防塵機能を有するタップやコンセント（例えば特許文献２、特許文献３）があった。
【特許文献１】特開２０１１−１９８７５１
【特許文献２】特開２０１１−６０５３３
【特許文献３】特開２００７−１７３１２５
【考案の開示】
【考案が解決しようとする課題】
【０００３】  市販の三角タップの場合、図３において三角タップ１１のプラグ差込口１３の長さ方向は接続脚１２の巾方向と直交している。一方壁面埋め込みコンセントのプラグ差込口の長さ方向は床面に垂直方向であるため、市販の三角タップ１１の接続脚１２を壁面埋め込みコンセントに挿入した場合、三角タップのプラグ差込口１３を含む面は壁面に対して斜め横向きとなり上向きとはならない。他のタイプで市販のタップを組み合わせて使用すればプラグ差込口を斜め上向きにすることは可能であるが、組み合わせ個数を増すことは安全面から実用的ではない。【０００４】  また、特許文献１による防水コンセントはプラグ差込口が斜め下向きで使用するのが本来の使用目的であり、斜め上向きで使用することは本来の使用目的に反する。【０００５】  本考案は、プラグ差込口が横向きである壁面埋込みコンセントに差込んだときに、差込口が斜め上向きになるようにして、腰を屈めなくてもプラグ差込口を確認することができるコンセントアダプターを提供する。
【課題を解決するための手段】
【０００６】  図１、図２において、プラグ差込口の長さｐ方向が接続脚の巾ａ方向と同じ方向をなし、プラグ差込口面５が基体１の面と角度θをなすことを特徴とする。
【考案の効果】
【０００７】  壁面埋め込みコンセントに本考案のコンセントアダプターを挿入したときに、コンセントアダプターのプラグ差込口４が斜め上向きになるように角度を持たせることにより、腰を屈めなくてもプラグ差込口を確認することができるようになった。例えば病院等の床掃除の開始前にプラグを挿入し、掃除終了後にプラグを引き抜くような場合に効果があった。
逆に、プラグを一旦挿入したら殆んど引き抜くことの無いような場合は、本考案のコンセントアダプターの差込口４が斜め下向きとなるように壁面コンセントに挿入すると、接続コードの折れ曲がり負荷を軽減できる。【０００８】  一般に壁面埋め込みコンセントは、床上約３０ｃｍの位置でプラグ差込口が横向きに設置され、プラグ挿入方向は床面に平行で壁面に垂直である。清掃の時などの場合はその都度プラグを挿入したり、抜いたりするが、プラグ挿入時には腰を屈め、眼の位置を下げてプラグ差込口を確認しなければならなかった。差込口確認のため腰を屈めることは老人や身体不自由者にとっては苦痛であった。本考案のコンセントアダプターにより、プラグ差込口が斜め上向きになったため、腰を屈めることなくプラグ差込口を確認することができるようになった。本考案のコンセプトアダプターは特に養護施設や、老人ホーム等で便利に使うことができる。
また、差込口が斜め下向きになるように使用すれば、接続コードの折れ曲がり負荷が軽減され、事務所や、一般家庭でも重宝に使用できる。
【図面の簡単な説明】
【０００９】
【図１】本考案請求項１のコンセントアダプターのＡ−Ａ断面図
【図２】本考案請求項１のコンセントアダプターの正面図
【図３】市販の三角タップ斜視図
【図４】本考案請求項３のコンセントアダプターの正面図
【図５】本考案請求項３のコンセントアダプターの側面図
【図６】本考案請求項３のコンセントアダプターの裏面図
【実施例１】
【００１０】  図１及び図２は請求項１の例を示す。接続脚２の巾ａ方向とプラグ差込口４の長さｐ方向とが、互いに平行であって、プラグ差込口面５が基体１と角度θをなすように接続脚２と差込み口４を設け、立ち上げ面６がプラグ差込口面５と角度φをなす本考案のコンセントアダプターの断面図と正面図の例である。
本例は接続脚２が二組、プラグ差込口４が三口であって、θ＝３０°、φ＝９０°の例である。
【実施例２】
【００１１】  実施例１の他には、接続脚２が二組でプラグ差込口４が二口の例、接続脚２が一組でプラグ差込口４が一口の例がある。接続脚２が二組乃至三組で差込口４が４組以上も可能である。接続脚２が一組の場合は、安全性の面からプラグ差込口４は一口が望ましい。
θは必ずしも３０°でなくてもよく、例えば４５°、６０°、７５°或いはその中間の角度でもよい。φについても、必ずしも９０°に限ることなく、差込口の数に対応して決めることができる。差込口が二口以上の場合、プラグ挿入の妨げとならないようにφを決めなければならない。
【実施例３】
【００１２】  図は省略するが、請求項２はプラグ差込口４の長さｐ方向が、接続脚２の巾ａ方向と対して直角をなすコンセントアダプターの例である。
【実施例４】
【００１３】  図４、図５及び図６は請求項３の例を示す。プラグ差込口２３、２４の長さ方向が接続脚２１の巾方向に対して直角であって、アース接続用の接続脚２２及びアース接続用の接続脚差込口２５を設けたコンセントアダプターの例である。
【実施例５】
【００１４】  実施例１乃至実施例４において、それぞれのプラグ差込口にシャッター機構を有するコンセントアダプターが可能である。
【符号の説明】
【００１５】  １    コンセントアダプター基体
２    接続脚
３    カバー
４    プラグ差込口
５    プラグ差込口面
６    立ち上げ面
１１    三角タップ
１２    接続脚
１３    プラグ差込口
ａ    接続脚２の巾
ｐ    差込口４の基体１に平行方向の水平長さ
θ    基体１の面と差込口面６とがなす角度
φ    差込口面５と立ち上げ面６とがなす角度
２１    接続脚
２２    アース用接続脚
２３    プラグ差込口
２４    プラグ差込口
２５    アース用差込口
【図１】
0003178661.tif 000003
【図２】
0003178661.tif 000004
【図３】
0003178661.tif 000005
【図４】
0003178661.tif 000006
【図５】
0003178661.tif 000007
【図６】
0003178661.tif 000008